(57)【特許請求の範囲】
【請求項１】
下水を膜分離処理することで下水系透過水と下水系濃縮水とを生成する下水系逆浸透膜処理手段と、
前記下水系濃縮水と取水した海水との混合水を膜分離処理することで海水系透過水と海水系濃縮水とを生成し、前記生成された海水系透過水の塩分濃度を測定する塩分濃度測定手段を有する海水系逆浸透膜処理手段と、を備え、
前記塩分濃度測定手段で測定された前記海水系透過水の塩分濃度が所定の基準値を満たしていない場合、前記生成された海水系透過水を前記下水系逆浸透膜処理手段に供給することを特徴とする海水淡水化システム。
【請求項２】
下水を膜分離処理することで下水系透過水と下水系濃縮水とを生成する下水系逆浸透膜処理手段を有する海水淡水化システムであって、
前記下水系濃縮水と取水した海水との混合水を加圧ポンプで加圧し、前記加圧した混合水を膜分離処理することで海水系透過水と海水系濃縮水とを生成し、前記生成された海水系透過水の塩分濃度を測定する塩分濃度測定手段を有する海水系逆浸透膜処理手段と、
前記塩分濃度測定手段で測定された前記海水系透過水の塩分濃度が所定の基準値を満たしていない場合、前記海水系逆浸透膜処理手段の前記加圧ポンプの駆動を抑制する制御手段と、を備え、
前記制御手段は、前記塩分濃度測定手段で測定した海水系透過水の塩分濃度に応じて、前記海水系透過水を前記下水系逆浸透膜処理手段に供給し、
前記下水系逆浸透膜処理手段は、前記海水系逆浸透膜処理手段から供給された前記海水系透過水と下水との混合水を膜分離処理する海水淡水化システム。
【請求項３】
前記海水系透過水を膜分離処理する第２の海水系逆浸透膜処理手段を更に備え、
前記制御手段は、前記塩分濃度測定手段で測定した前記海水系透過水の塩分濃度に応じて前記海水系透過水を前記第２の海水系逆浸透膜処理手段に供給することを特徴とする請求項２に記載の海水淡水化システム。
【請求項４】
前記海水系逆浸透膜処理手段が備える逆浸透膜は、前記下水系逆浸透膜処理手段に流入する下水の流入量及び塩分濃度、前記海水系逆浸透膜処理手段に流入する海水の流入量及び塩分濃度、予め設定される前記海水系逆浸透膜処理手段が生成する海水系透過水の水量及び塩分濃度に基づき選択された、所定の脱塩率の逆浸透膜である請求項２又は３に記載の海水淡水化システム。
【請求項５】
下水を膜分離処理することで下水系透過水と下水系濃縮水とを生成する下水系逆浸透膜処理工程と、
前記下水系濃縮水と取水した海水との混合水を膜分離処理することで海水系透過水と海水系濃縮水とを生成する海水系逆浸透膜処理工程と、
前記海水系透過水の塩分濃度を測定する塩分濃度測定工程と、
前記海水系透過水の塩分濃度に応じて前記海水系透過水を前記下水系逆浸透膜処理工程に戻す海水系透過水循環工程と、を備えることを特徴とする海水淡水化方法。
【請求項６】
下水を膜分離処理することで下水系透過水と下水系濃縮水とを生成する下水系逆浸透膜処理工程を有する海水淡水化方法であって、
前記下水系濃縮水と取水した海水との混合水を加圧ポンプで加圧し、前記加圧した混合水を膜分離処理することで海水系透過水と海水系濃縮水とを生成する海水系逆浸透膜処理工程と、
前記海水系透過水の塩分濃度を測定する塩分濃度測定工程と、
前記海水系透過水の塩分濃度が所定の基準値を満たしていない場合、前記海水系逆浸透膜処理工程の前記加圧ポンプの駆動継続を停止する継続決定工程と、
前記塩分濃度測定工程で測定した海水系透過水の塩分濃度に応じて、前記海水系透過水を前記下水系逆浸透膜処理工程に戻す海水系透過水循環工程と、を備え、
前記下水系逆浸透膜処理工程は、前記海水系透過水循環工程において戻された前記海水系透過水と下水との混合水を膜分離処理する海水淡水化方法。
【請求項７】
前記海水系透過水を膜分離処理する第２の海水系逆浸透膜処理工程を更に備え、
前記塩分濃度測定工程で測定した前記海水系透過水の塩分濃度に応じて前記海水系透過水を前記第２の海水系逆浸透膜処理工程で処理することを特徴とする請求項６に記載の海水淡水化方法。
【発明の詳細な説明】
【技術分野】
【０００１】
本発明は、海水淡水化システム及び海水淡水化方法に関する。
【背景技術】
【０００２】
従来より、海水を膜分離処理することで、淡水を生成する海水淡水化装置が知られている。この海水淡水化装置は、膜分離処理するのに海水を加圧してポンプ等で逆浸透膜ユニットに圧送するため、海水の塩分濃度が高いほど多大なエネルギーが必要となる。
【０００３】
そこで、海水よりも塩分濃度が低い下水を膜分離処理し透過水と濃縮水とに分離する第１処理部と、第１処理部にて生成した濃縮水を希釈用として海水に混合して混合水とし、該混合水を膜分離処理し透過水と濃縮水とに分離する第２処理部とを備え、下水の流入量に基づき第１処理部及び第２処理部を制御する海水淡水化システムが提案されている（特許文献１参照）。
特許文献１の海水淡水化システムによれば、下水の濃縮水を海水に混合した混合水を膜分離処理することで、下水の流入量が増えれば混合水の塩分濃度を低下させることができるので、海水を膜分離処理する場合に比べて、淡水を生成するためのエネルギーを低減できる。
【先行技術文献】
【特許文献】
【０００４】
【特許文献１】特許第４４９９８３５号公報
【発明の概要】
【発明が解決しようとする課題】
【０００５】
しかしながら、特許文献１に記載の海水淡水化システムは、下水の流入量に基づき第１処理部及び第２処理部を制御するので、生成される淡水の水質が下水の流入量に依存することとなる。ここで、下水は、有機物を含有する有機性廃水や製造工場等の無機性廃水等が濾過処理等された後に排水されたものであるので、その水質や水量が安定して供給されるものではない。このため、特許文献１に記載の海水淡水化システムは、生成する淡水において水質を確保するのが困難である。
【０００６】
本発明は、淡水を生成するためのエネルギーを低減できるとともに、生成する淡水において水質を確保できる海水淡水化システムを提供することを目的とする。
【課題を解決するための手段】
【０００７】
（１）  下水を膜分離処理することで下水系透過水と下水系濃縮水とを生成する下水系逆浸透膜処理手段と、前記下水系濃縮水と取水した海水との混合水を膜分離処理することで海水系透過水と海水系濃縮水とを生成し、前記生成された海水系透過水の塩分濃度を測定する塩分濃度測定手段を有する海水系逆浸透膜処理手段と、を備え、前記塩分濃度測定手段で測定された前記海水系透過水の塩分濃度が所定の基準値を満たしていない場合、前記生成された海水系透過水を前記下水系逆浸透膜処理手段に供給することを特徴とする海水淡水化システム。
【０００８】
（１）の発明によれば、下水系逆浸透膜処理手段は、下水を膜分離処理することで下水系透過水と下水系濃縮水とを生成する。海水系逆浸透膜処理手段は、下水系濃縮水と取水した海水との混合水を膜分離処理することで海水系透過水と海水系濃縮水とを生成し、生成された海水系透過水の塩分濃度を測定する塩分濃度測定手段を有する。塩分濃度測定手段で測定された海水系透過水の塩分濃度が所定の基準値を満たしていない場合、海水系透過水を下水系逆浸透膜処理手段に供給する。
【０００９】
これにより、海水系逆浸透膜処理手段において、海水より塩分濃度が低い下水系濃縮水と海水の混合水を膜分離処理し淡水である海水系透過水を生成するので、混合水より塩分濃度が高い海水を膜分離処理して淡水を生成する場合に比べて、淡水を生成するためのエネルギーを低減できる。
また、例えば、下水の水量が低下し下水系逆浸透膜処理手段で生成された下水系透過水と下水系濃縮水の水量が低下し、海水系透過水の塩分濃度が上昇した場合であっても、稼働率が低下した下水系逆浸透膜処理手段を利用して、当該塩分濃度が上昇した海水系透過水を膜分離処理することで、塩分濃度が所定の基準値である海水系透過水を確保できる。
したがって、淡水を生成するためのエネルギーを低減できるとともに、生成する淡水において水質を確保できる海水淡水化システムを提供できる。
【００１０】
（２）  下水を膜分離処理することで下水系透過水と下水系濃縮水とを生成する下水系逆浸透膜処理手段を有する海水淡水化システムであって、前記下水系濃縮水と取水した海水との混合水を加圧ポンプで加圧し、前記加圧した混合水を膜分離処理することで海水系透過水と海水系濃縮水とを生成し、前記生成された海水系透過水の塩分濃度を測定する塩分濃度測定手段を有する海水系逆浸透膜処理手段と、前記塩分濃度測定手段で測定された前記海水系透過水の塩分濃度が所定の基準値を満たしていない場合、前記海水系逆浸透膜処理手段の前記加圧ポンプの駆動を抑制する制御手段と、を備え、前記制御手段は、前記塩分濃度測定手段で測定した海水系透過水の塩分濃度に応じて、前記海水系透過水を前記下水系逆浸透膜処理手段に供給し、前記下水系逆浸透膜処理手段は、前記海水系逆浸透膜処理手段から供給された前記海水系透過水と下水との混合水を膜分離処理する海水淡水化システム。
【００１１】
（２）の発明によれば、下水系逆浸透膜処理手段は、下水を膜分離処理することで下水系透過水と下水系濃縮水とを生成する。海水系逆浸透膜処理手段は、下水系濃縮水と海水との混合水を膜分離処理することで海水系透過水と海水系濃縮水とを生成し、この生成された海水系透過水の塩分濃度を測定する塩分濃度測定手段を有する。制御手段は、塩分濃度測定手段で測定された海水系透過水の塩分濃度が所定の基準値を満たしていない場合、海水系逆浸透膜処理手段の加圧ポンプの駆動を抑制する。制御手段は、塩分濃度測定手段で測定した海水系透過水の塩分濃度に応じて、海水系透過水を下水系逆浸透膜処理手段に供給し、下水系逆浸透膜処理手段は、海水系逆浸透膜処理手段から供給された海水系透過水と下水との混合水を膜分離処理する。
【００１２】
これにより、海水系逆浸透膜処理手段において、海水より塩分濃度が低い下水系濃縮水と海水の混合水を膜分離処理し淡水である海水系透過水を生成するので、混合水より塩分濃度が高い海水を膜分離処理して淡水を生成する場合に比べて、淡水を生成するためのエネルギーを低減できる。
また、生成した淡水である海水系透過水の塩分濃度に応じて、下水系逆浸透膜処理手段及び海水系逆浸透膜処理手段を制御するので、例えば、海水系透過水の塩分濃度が所定の基準値より高ければ、海水系逆浸透膜処理手段の加圧ポンプの駆動を抑制し海水系透過水の塩分濃度を所定の基準値に戻すことができる。
また、例えば、下水の水量が低下し下水系逆浸透膜処理手段で生成された下水系透過水と下水系濃縮水の水量が低下し、海水系透過水の塩分濃度が上昇した場合であっても、稼働率が低下した下水系逆浸透膜処理手段を利用して、当該塩分濃度が上昇した海水系透過水を膜分離処理することで、塩分濃度が所定の基準値である海水系透過水を供給できる。
したがって、淡水を生成するためのエネルギーを低減できるとともに、生成する淡水において水質を確保できる海水淡水化システムを提供できる。
【００１３】
（３）  前記海水系透過水を膜分離処理する第２の海水系逆浸透膜処理手段を更に備え、前記制御手段は、前記塩分濃度測定手段で測定した前記海水系透過水の塩分濃度に応じて前記海水系透過水を前記第２の海水系逆浸透膜処理手段に供給することを特徴とする（２）に記載の海水淡水化システム。
【００１４】
（３）の発明によれば、海水系透過水を膜分離処理する第２の海水系逆浸透膜処理手段を更に備えた。
これにより、例えば、下水の水量が低下し下水系逆浸透膜処理手段で生成された下水系透過水と下水系濃縮水の水量が低下し、海水系透過水の塩分濃度が上昇した場合であっても、第２の海水系逆浸透膜処理手段で当該塩分濃度が上昇した海水系透過水を膜分離処理することで、塩分濃度が所定の基準値である海水系透過水を供給できる。
【００１７】
（４）  前記海水系逆浸透膜処理手段が備える逆浸透膜は、前記下水系逆浸透膜処理手段に流入する下水の流入量及び塩分濃度、前記海水系逆浸透膜処理手段に流入する海水の流入量及び塩分濃度、予め設定される前記海水系逆浸透膜処理手段が生成する海水系透過水の水量及び塩分濃度に基づき選択された、所定の脱塩率の逆浸透膜である（２）又は（３）に記載の海水淡水化システム。
【００１８】
ここで、逆浸透膜は、脱塩率が略５５％から略９９％と様々な膜がある。逆浸透膜処理手段では、一般的に逆浸透膜の脱塩率が高いほど、揚程の能力がより高くより多くのエネルギーを必要とするポンプが必要になる。
（４）の発明によれば、下水系及び海水系の逆浸透膜処理手段の流入量及び塩分濃度、予め設定される海水系逆浸透膜処理手段が生成する海水系透過水の水量及び塩分濃度から、好適な脱塩率の逆浸透膜を選択することで、エネルギー効率が好適なポンプを用いることが可能となり、淡水を生成するためのエネルギーをより低減できる。
【００２４】
（５）  下水を膜分離処理することで下水系透過水と下水系濃縮水とを生成する下水系逆浸透膜処理工程と、前記下水系濃縮水と取水した海水との混合水を膜分離処理することで海水系透過水と海水系濃縮水とを生成する海水系逆浸透膜処理工程と、前記海水系透過水の塩分濃度を測定する塩分濃度測定工程と、前記海水系透過水の塩分濃度に応じて前記海水系透過水を前記下水系逆浸透膜処理工程に戻す海水系透過水循環工程と、を備えることを特徴とする海水淡水化方法。
（５）の発明によれば、（１）の発明と同様の作用効果を奏する。
【００２５】
（６）  下水を膜分離処理することで下水系透過水と下水系濃縮水とを生成する下水系逆浸透膜処理工程を有する海水淡水化方法であって、前記下水系濃縮水と取水した海水との混合水を加圧ポンプで加圧し、前記加圧した混合水を膜分離処理することで海水系透過水と海水系濃縮水とを生成する海水系逆浸透膜処理工程と、前記海水系透過水の塩分濃度を測定する塩分濃度測定工程と、前記海水系透過水の塩分濃度が所定の基準値を満たしていない場合、前記海水系逆浸透膜処理工程の前記加圧ポンプの駆動継続を停止する継続決定工程と、前記塩分濃度測定工程で測定した海水系透過水の塩分濃度に応じて、前記海水系透過水を前記下水系逆浸透膜処理工程に戻す海水系透過水循環工程と、を備え、前記下水系逆浸透膜処理工程は、前記海水系透過水循環工程において戻された前記海水系透過水と下水との混合水を膜分離処理することを特徴とする海水淡水化方法。
（６）の発明によれば、（２）の発明と同様の作用効果を奏する。
【００２６】
（７）  前記海水系透過水を膜分離処理する第２の海水系逆浸透膜処理工程を更に備え、前記塩分濃度測定工程で測定した前記海水系透過水の塩分濃度に応じて前記海水系透過水を前記第２の海水系逆浸透膜処理工程で処理することを特徴とする（７）に記載の海水淡水化方法。
（７）の発明によれば、（３）の発明と同様の作用効果を奏する。
【発明の効果】
【００３０】
本発明によれば、淡水を生成するためのエネルギーを低減できるとともに、生成する淡水において水質を確保できる海水淡水化システムを提供できる。
【図面の簡単な説明】
【００３１】
【図１】本発明の第１実施形態の海水淡水化システムを示す概略構成図である。
【図２】本発明の第１実施形態の変形例の海水淡水化システムを示す概略構成図である。
【図３】本発明の第２実施形態の海水淡水化システムを示す概略構成図である。
【発明を実施するための形態】
【００３２】
＜第１実施形態＞
図１を参照して、本発明の第１実施形態の海水淡水化システム１について説明する。図１は、本発明の第１実施形態の海水淡水化システム１を示す概略構成図である。
【００３３】
図１に示すように、第１実施形態の海水淡水化システム１は、下水系逆浸透膜処理手段１０と、海水系逆浸透膜処理手段２０と、制御手段１００と、を備えており、下水Ｗ１０及び海水Ｗ２０を膜分離処理し、淡水である下水系透過水Ｗ１１及び海水系透過水Ｗ２１を生成する装置である。
本明細書における海水Ｗ２０は、海、湖、沼、池等に存在する水であって、塩分濃度が略１．０質量％以上略４．０質量％以下の水である。また、本明細書における下水Ｗ１０は、有機物を含有する有機性廃水や製造工場等の無機性廃水等が濾過処理等された後に排水されたものであって、塩分濃度が海水Ｗ２０よりも低い水である。また、本明細書における淡水とは、塩分濃度が低い水である。
【００３４】
海水淡水化システム１は、下水Ｗ１０を膜分離処理することで下水系透過水Ｗ１１と下水系濃縮水Ｗ１２とを生成する下水系逆浸透膜処理手段１０と、下水系濃縮水Ｗ１２と取水した海水Ｗ２０との混合水を膜分離処理することで海水系透過水Ｗ２１と海水系濃縮水Ｗ２２とを生成し、この海水系透過水Ｗ２１の塩分濃度を測定する導電率計(以下、ＥＣ計と称する)２３０を有する海水系逆浸透膜処理手段２０と、
海水系透過水Ｗ２１の塩分濃度に応じて、下水系逆浸透膜処理手段１０及び海水系逆浸透膜処理手段２０の駆動を制御する制御手段１００と、を備える。
【００３５】
海水淡水化システム１は、海水系透過水Ｗ２１の塩分濃度が、透過水を使用する供給系（図示無し）へ流出できる基準を満たしていれば海水系透過水Ｗ２１を供給系へ流出し、供給系へ流出できる基準を満たしていない場合には海水系透過水Ｗ２１を下水系逆浸透膜処理手段１０に循環させる。
以下、海水淡水化システム１の各構成について詳細に説明する。
【００３６】
下水系逆浸透膜処理手段１０は、系外から下水Ｗ１０を供給する下水ラインＬ１０と、下水ラインＬ１０に設けられ、下水Ｗ１０に含まれる汚泥を濾過する下水系前処理モジュール１１と、下水ラインＬ１０に接続され、下水Ｗ１０を膜分離処理し、下水系透過水Ｗ１１及び下水系濃縮水Ｗ１２を生成する下水系逆浸透膜モジュール１２と、下水ラインＬ１０において、下水系逆浸透膜モジュール１２より上流側に設けられた加圧ポンプ１３と、下水系逆浸透膜モジュール１２に接続された下水系透過水ラインＬ１１と、下水系逆浸透膜モジュール１２に接続された下水系濃縮水ラインＬ１２と、を最低限備える。
なお、本明細書でいう「ライン」とは、流体の流通が可能なラインであり、流路、経路、管路等が含まれる。
【００３７】
下水ラインＬ１０は、海水淡水化システム１の系外から延びて下水系前処理モジュール１１を介して下水系逆浸透膜モジュール１２に接続されており、下水系前処理モジュール１１により汚泥が除去された下水Ｗ１０を下水系逆浸透膜モジュール１２に導入する。
【００３８】
下水系前処理モジュール１１は、下水ラインＬ１０において下水系逆浸透膜モジュール１２の上流側に設けられ、膜分離活性汚泥法により下水Ｗ１０に含まれる汚泥を濾過し除去する。本実施形態において下水系前処理モジュール１１は、濾過媒体としての精密濾過膜あるいは限外濾過膜（図示せず）を備える。なお、下水系前処理モジュール１１は、本実施形態において、精密濾過膜あるいは限外濾過膜を用いているが、これに限らず、下水Ｗ１０に含まれる汚泥を除去する他の濾過装置を用いることもできる。
【００３９】
下水系逆浸透膜モジュール１２は、下水ラインＬ１０の下流側の端部に接続されている。下水系逆浸透膜モジュール１２は、下水系前処理モジュール１１により汚泥が除去された下水Ｗ１０を逆浸透膜（以下、「ＲＯ膜」ともいう）により膜分離処理し、下水系透過水Ｗ１１及び下水系濃縮水Ｗ１２を生成する。下水系逆浸透膜モジュール１２は、単一又は複数のＲＯ膜エレメント（図示せず）を備えており、これらのＲＯ膜エレメントにより水中の溶存塩類を除去する。ＲＯ膜エレメントは、下水系逆浸透膜処理手段１０に流入する下水Ｗ１０の流入量及び塩分濃度に基づき好適な脱塩率の膜が選択される。
加圧ポンプ１３は、下水ラインＬ１０に設けられており、下水Ｗ１０を加圧し、下水系逆浸透膜モジュール１２に送出する。
【００４０】
下水系透過水ラインＬ１１及び下水系濃縮水ラインＬ１２は、下水系逆浸透膜モジュール１２の下流側に接続されている。下水系透過水ラインＬ１１は、ＲＯ膜を透過した下水系透過水Ｗ１１が流通し、下水系透過水Ｗ１１を系外へ排水するラインである。下水系濃縮水ラインＬ１２は、ＲＯ膜を透過しなかった下水系濃縮水Ｗ１２が流通するラインである。下水系濃縮水ラインＬ１２は、海水系逆浸透膜処理手段２０に接続され、海水系逆浸透膜処理手段２０に下水系濃縮水Ｗ１２を供給する。
【００４１】
海水系逆浸透膜処理手段２０は、系外から海水Ｗ２０を供給する海水ラインＬ２０と、海水ラインＬ２０に設けられ、海水Ｗ２０に含まれる浮遊細菌（以下、「細菌、ＳＳ」ともいう）等を濾過する砂濾過やＶＦ等の海水系前処理モジュール２１と、海水ラインＬ２０に接続され、海水Ｗ２０を膜分離処理し、海水系透過水Ｗ２１及び海水系濃縮水Ｗ２２を生成する海水系逆浸透膜モジュール２２と、海水ラインＬ２０において、海水系逆浸透膜モジュール２２より上流側に設けられた加圧ポンプ２３と、海水系逆浸透膜モジュール２２に接続された海水系透過水ラインＬ２１と、海水系逆浸透膜モジュール２２に接続された海水系濃縮水ラインＬ２２と、海水系透過水ラインＬ２１から分岐する海水系塩分濃度測定ラインＬ２３と、海水系塩分濃度測定ラインＬ２３を介して、海水系透過水ラインＬ２１に送出された海水系透過水Ｗ２１の塩分濃度を測定するＥＣ計２３０と、海水系透過水ラインＬ２１から分岐する海水系透過水排水ラインＬ２４と、海水系透過水ラインＬ２１から分岐する海水系透過水循環ラインＬ２５と、を備える。
【００４２】
海水ラインＬ２０は、海水淡水化システム１の系外から延びて海水系前処理モジュール２１を介して海水系逆浸透膜モジュール２２に接続されている。また、海水ラインＬ２０は、海水系前処理モジュール２１と海水系逆浸透膜モジュール２２との間の下水系濃縮水ライン接続点Ｊ１２で下水系濃縮水ラインＬ１２が接続されている。加圧ポンプ２３は、海水ラインＬ２０に設けられており、海水系前処理モジュール２１により細菌、ＳＳ等が除去された海水Ｗ２０と下水系逆浸透膜処理手段１０から供給された下水系濃縮水Ｗ１２との混合水を加圧し、海水系逆浸透膜モジュール２２に送出する。
【００４３】
海水系前処理モジュール２１は、海水ラインＬ２０において海水系逆浸透膜モジュール２２の上流側に設けられ、膜分離処理により海水Ｗ２０に含まれる細菌、ＳＳやウィルスＳＳを濾過し除去する。本実施形態において海水系前処理モジュール２１は、海水Ｗ２０を砂濾過した後、限外濾過膜（図示せず）により膜分離処理する。なお、海水系前処理モジュール２１は、本実施形態において、限外濾過膜を用いているが、これに限らず、海水Ｗ２０に含まれる細菌、ＳＳやウィルスＳＳを除去する精密濾過膜等の他の濾過膜を用いることもできる。
【００４４】
海水系逆浸透膜モジュール２２は、海水ラインＬ２０の下流側に接続されている。海水系逆浸透膜モジュール２２は、海水系前処理モジュール２１により細菌、ＳＳ等が除去された海水Ｗ２０と下水系逆浸透膜処理手段１０から供給された下水系濃縮水Ｗ１２との混合水を逆浸透膜により膜分離処理し、海水系透過水Ｗ２１及び海水系濃縮水Ｗ２２を生成する。海水系逆浸透膜モジュール２２は、単一又は複数のＲＯ膜エレメント（図示せず）を備えており、これらのＲＯ膜エレメントにより水中の溶存塩類を除去する。ＲＯ膜エレメントは、海水系逆浸透膜処理手段２０に流入する海水Ｗ２０の流入量及び塩分濃度、予め設定されている海水系逆浸透膜処理手段２０が生成する海水系透過水Ｗ２１の水量及び塩分濃度に基づき好適な脱塩率の膜が選択される。
【００４５】
海水系透過水ラインＬ２１及び海水系濃縮水ラインＬ２２は、海水系逆浸透膜モジュール２２の下流側に接続されている。
海水系透過水ラインＬ２１は、ＲＯ膜を透過した海水系透過水Ｗ２１が流通するラインである。海水系透過水ラインＬ２１には、海水系塩分濃度測定ラインＬ２３、海水系透過水排水ラインＬ２４が上流側から順に接続されている。また、海水系透過水ラインＬ２１には、下流側端部に海水系透過水循環バルブ２５０が設けられている。海水系透過水ラインＬ２１は、海水系透過水循環バルブ２５０を介して、海水系透過水循環ラインＬ２５に接続され、下水系逆浸透膜処理手段１０に海水系透過水Ｗ２１を循環させる。
【００４６】
海水系濃縮水ラインＬ２２は、ＲＯ膜を透過しなかった海水系濃縮水Ｗ２２が流通し、海水系濃縮水Ｗ２２を系外へ排水するラインである。
海水系塩分濃度測定ラインＬ２３は、海水系透過水ラインＬ２１から塩分濃度測定ライン分岐点Ｊ２３において分岐し、海水系透過水Ｗ２１が流通し、塩分濃度測定手段としての海水系透過水ＥＣ計２３０に接続されている。
海水系透過水ＥＣ計２３０は、塩分濃度測定工程として、海水系塩分濃度測定ラインＬ２３を流通する海水系透過水Ｗ２１の導電率を測定し、塩分濃度に換算する。海水系透過水ＥＣ計２３０は、制御手段１００に接続され、測定した海水系透過水Ｗ２１の導電率又は換算した塩分濃度を制御手段１００に送信する。
【００４７】
海水系透過水排水ラインＬ２４は、海水系透過水ラインＬ２１から海水系透過水排水ライン分岐点Ｊ２４において分岐し、海水系透過水排水バルブ２４０を介して、海水系透過水Ｗ２１を供給系（図示無し）へ流出するラインである。
海水系透過水排水バルブ２４０は、電磁弁又は電動弁からなり、制御手段１００の制御により、海水系透過水Ｗ２１の塩分濃度が供給系へ流出できる基準を満たしていれば、海水系透過水Ｗ２１を供給系へ流出するように構成され、海水系透過水Ｗ２１の塩分濃度が供給系へ流出できる基準を満たしていない場合に、海水系透過水Ｗ２１を供給系へ流出するのを止めるように構成されている。
【００４８】
海水系透過水循環ラインＬ２５は、海水系透過水循環バルブ２５０から延びて、下水ラインＬ１０の海水系透過水循環ライン接続点Ｊ２６に接続されている。海水系透過水循環ラインＬ２５は、海水系透過水Ｗ２１を下水系逆浸透膜処理手段１０に循環させるラインである。
海水系透過水循環バルブ２５０は、電磁弁又は電動弁からなり、制御手段１００の制御により、海水系透過水Ｗ２１の塩分濃度が供給系（図示無し）へ流出できる基準を満たしていれば海水系透過水Ｗ２１を下水系逆浸透膜処理手段１０に循環させないように構成され、海水系透過水Ｗ２１の塩分濃度が供給系へ流出できる基準を満たしていない場合には海水系透過水Ｗ２１を下水系逆浸透膜処理手段１０に循環させるように構成されている。
【００４９】
制御手段１００は、海水淡水化システム１を構成する各要素のうち、制御が行われる要素に電気的に接続される。詳細には、制御手段１００は、海水系透過水ＥＣ計２３０で測定された海水系透過水Ｗ２１の塩分濃度に応じて、加圧ポンプ１３、加圧ポンプ２３、海水系透過水排水バルブ２４０、海水系透過水循環バルブ２５０を制御する。
【００５０】
次に、海水淡水化システム１の動作について説明する。
まず、制御手段１００は、加圧ポンプ１３及び加圧ポンプ２３を駆動させる制御を行う。
これにより、下水系逆浸透膜処理手段１０が駆動し、系外から供給され下水系前処理モジュール１１により汚泥が除去された下水Ｗ１０は、下水系逆浸透膜モジュール１２に導入される。下水系逆浸透膜モジュール１２に導入された下水Ｗ１０は膜分離処理され、下水系透過水Ｗ１１及び下水系濃縮水Ｗ１２が生成される。下水系透過水Ｗ１１は系外に排水され、下水系濃縮水Ｗ１２は海水系逆浸透膜処理手段２０に供給される。
また、海水系逆浸透膜処理手段２０が駆動し、系外から供給され海水系前処理モジュール２１により細菌、ＳＳ等が除去された海水Ｗ２０は、下水系逆浸透膜処理手段１０から供給された下水系濃縮水Ｗ１２と混合され、海水系逆浸透膜モジュール２２に導入される。海水系逆浸透膜モジュール２２に導入された海水Ｗ２０と下水系濃縮水Ｗ１２との混合水は膜分離処理され、海水系透過水Ｗ２１及び海水系濃縮水Ｗ２２が生成される。海水系透過水Ｗ２１は海水系透過水ラインＬ２１に流出され、海水系濃縮水Ｗ２２は系外に排水される。
【００５１】
そして、海水系透過水ＥＣ計２３０は、海水系透過水ラインＬ２１に流出された海水系透過水Ｗ２１の塩分濃度を測定し制御手段１００に送信する。
制御手段１００は、継続決定工程として以下の処理を行う。
制御手段１００は、海水系透過水ＥＣ計２３０から送信された海水系透過水Ｗ２１の塩分濃度が供給系（図示無し）へ流出できる基準を満たしている場合には、海水系透過水排水バルブ２４０を開栓し、海水系透過水循環バルブ２５０を閉栓する制御を行う。
これにより、海水系透過水Ｗ２１は、供給系へ流出される。
【００５２】
また、制御手段１００は、海水系透過水ＥＣ計２３０から送信された海水系透過水Ｗ２１の塩分濃度が供給系へ流出できる基準を満たしていない場合には、海水系透過水循環工程として、海水系透過水循環バルブ２５０を開栓し、海水系透過水排水バルブ２４０を閉栓するとともに、加圧ポンプ２３の出力を下げることにより流量を下げる制御を行う。
これにより、海水系透過水Ｗ２１は、海水系透過水循環ラインＬ２５を介して、下水系逆浸透膜処理手段１０に循環され、再度、下水系逆浸透膜処理手段１０及び海水系逆浸透膜処理手段２０により膜分離処理される。また、海水系逆浸透膜処理手段２０における海水Ｗ２０の取水する量が減少する。
【００５３】
第１実施形態の海水淡水化システム１によれば、以下の効果を奏する。
海水系逆浸透膜処理手段２０において、海水より塩分濃度が低い下水系濃縮水Ｗ１２と海水Ｗ２０の混合水を膜分離処理し淡水である海水系透過水Ｗ２１を生成するので、混合水より塩分濃度が高い海水Ｗ２０を膜分離処理して淡水を生成する場合に比べて、淡水を生成するためのエネルギーを低減できる。
また、例えば、下水Ｗ１０の水量が低下し下水系逆浸透膜処理手段１０で生成された下水系透過水Ｗ１１と下水系濃縮水Ｗ１２の水量が低下し、海水系透過水Ｗ２１の塩分濃度が上昇した場合であっても、稼働率が低下した下水系逆浸透膜処理手段１０を利用して、当該塩分濃度が上昇した海水系透過水Ｗ２１を膜分離処理することで、塩分濃度が所定の濃度の海水系透過水を供給できる。
したがって、淡水を生成するためのエネルギーを低減できるとともに、生成する淡水において水質を確保できる海水淡水化システムを提供できる。
【００５４】
また、生成した淡水である海水系透過水Ｗ２１の塩分濃度に応じて、下水系逆浸透膜処理手段１０及び海水系逆浸透膜処理手段２０を制御するので、例えば、海水系透過水Ｗ２１の塩分濃度が供給系へ流出できる基準を満たしていない場合には、海水系逆浸透膜処理手段２０の駆動を抑制し海水系透過水の塩分濃度を所定の濃度に戻すことができる。
【００５５】
また、下水系逆浸透膜処理手段１０及び海水系逆浸透膜処理手段２０の流入量及び塩分濃度、予め設定される海水系逆浸透膜処理手段２０が生成する海水系透過水Ｗ２１の水量及び塩分濃度から、好適な脱塩率の逆浸透膜を選択することで、エネルギー効率が好適なポンプを用いることが可能となり、淡水を生成するためのエネルギーをより低減できる。
【００５６】
次に、本発明の第１実施形態の変形例について説明する。第１実施形態の変形例については、主として、第１実施形態とは異なる点を中心に説明し、第１実施形態と同様の構成については、同じ符号を付し、詳細な説明を省略する。第１実施形態の変形例において特に説明しない点は、第１実施形態についての説明が適宜適用される。
【００５７】
＜第１実施形態の変形例＞
図２を参照して、第１実施形態の変形例である海水淡水化システム１’について説明する。図２は、本発明の第１実施形態の変形例の海水淡水化システム１’を示す概略構成図である。
第１実施形態の変形例である海水淡水化システム１’は、第１実施形態の海水淡水化システム１とは、海水系逆浸透膜処理手段の海水ライン、海水系透過水ライン及び制御手段の構成が異なる。また、第１実施形態の変形例である海水淡水化システム１’は、第１実施形態の海水淡水化システム１が備えない第２海水系逆浸透膜処理手段３０を備える。
海水淡水化システム１’は、海水系透過水Ｗ２１の塩分濃度が、供給系（図示無し）へ流出できる基準を満たしている場合には海水系透過水Ｗ２１を供給系へ流出し、供給系へ流出できる基準を満たしていない場合は海水系透過水Ｗ２１を更に第２海水系逆浸透膜処理手段３０において膜分離処理する。
【００５８】
海水系逆浸透膜処理手段２０’の海水ラインＬ２０’は、海水淡水化システム１’の系外から延びて海水系前処理モジュール２１を介して海水系逆浸透膜モジュール２２に接続されている。また、海水ラインＬ２０’には、海水系前処理モジュール２１と海水系逆浸透膜モジュール２２との間の下水系濃縮水ライン接続点Ｊ１２で下水系濃縮水ラインＬ１２が接続され、下水系濃縮水ライン接続点Ｊ１２と海水系逆浸透膜モジュール２２との間の海水系再濃縮水ライン接続点Ｊ３２で海水系再濃縮水ラインＬ３２が接続されている。
【００５９】
海水系逆浸透膜処理手段２０’の海水系透過水ラインＬ２１’は、海水系逆浸透膜モジュール２２の下流側に接続されている。
海水系透過水ラインＬ２１’は、ＲＯ膜を透過した海水系透過水Ｗ２１が流通するラインである。海水系透過水ラインＬ２１’には、海水系塩分濃度測定ラインＬ２３、海水系透過水排水ラインＬ２４が上流側から順に接続されている。また、海水系透過水ラインＬ２１’には、下流側端部に海水系バルブ２１０が設けられている。海水系透過水ラインＬ２１’は、海水系バルブ２１０を介して、第２海水系逆浸透膜処理手段３０に接続され、第２海水系逆浸透膜処理手段３０に海水系透過水Ｗ２１を供給する。
【００６０】
海水系バルブ２１０は、電磁弁又は電動弁からなり、制御手段１００の制御により、海水系透過水Ｗ２１の塩分濃度が供給系へ流出できる基準を満たしていない場合には、海水系透過水Ｗ２１を第２海水系逆浸透膜処理手段３０に供給するように構成され、海水系透過水Ｗ２１の塩分濃度が供給系へ流出できる基準を満たしている場合には、海水系透過水Ｗ２１を供給系へ流出するように構成されている。
【００６１】
第２海水系逆浸透膜処理手段３０は、海水系逆浸透膜処理手段２０’から海水系透過水Ｗ２１を供給する海水系透過水供給ラインＬ３０と、海水系透過水供給ラインＬ３０に接続され、海水系透過水Ｗ２１を更に膜分離処理し、海水系再透過水Ｗ３１及び海水系再濃縮水Ｗ３２を生成する第２海水系逆浸透膜モジュール３２と、海水系透過水供給ラインＬ３０において、第２海水系逆浸透膜モジュール３２より上流側に設けられた加圧ポンプ３３と、第２海水系逆浸透膜モジュール３２に接続された海水系再透過水ラインＬ３１と、第２海水系逆浸透膜モジュール３２に接続された海水系再濃縮水ラインＬ３２と、を備える。
【００６２】
海水系透過水供給ラインＬ３０は、海水系逆浸透膜処理手段２０’の海水系バルブ２１０から延び第２海水系逆浸透膜モジュール３２に接続されており、海水系透過水Ｗ２１を第２海水系逆浸透膜モジュール３２に導入する。
【００６３】
第２海水系逆浸透膜モジュール３２は、海水系透過水供給ラインＬ３０の下流側に接続されている。第２海水系逆浸透膜モジュール３２は、塩分濃度が所定の基準値を超えている海水系透過水Ｗ２１を逆浸透膜により膜分離処理し、海水系再透過水Ｗ３１及び海水系再濃縮水Ｗ３２を生成する。第２海水系逆浸透膜モジュール３２は、単一又は複数のＲＯ膜エレメント（図示せず）を備えており、これらのＲＯ膜エレメントにより水中の溶存塩類を除去する。ＲＯ膜エレメントは、第２海水系逆浸透膜処理手段３０に流入する海水系透過水Ｗ２１の流入量及び塩分濃度、予め設定されている第２海水系逆浸透膜処理手段３０が生成する海水系再透過水Ｗ３１の水量及び塩分濃度に基づき好適な脱塩率の膜が選択される。
加圧ポンプ３３は、海水系透過水供給ラインＬ３０に設けられており、海水系透過水Ｗ２１を加圧し、第２海水系逆浸透膜モジュール３２に送出する。
【００６４】
海水系再透過水ラインＬ３１及び海水系再濃縮水ラインＬ３２は、第２海水系逆浸透膜モジュール３２の下流側に接続されている。海水系再透過水ラインＬ３１は、ＲＯ膜を透過した海水系再透過水Ｗ３１が流通し、海水系再透過水Ｗ３１を供給系（図示無し）へ流出するラインである。海水系再濃縮水ラインＬ３２は、ＲＯ膜を透過しなかった海水系再濃縮水Ｗ３２が流通するラインである。海水系再濃縮水ラインＬ３２は、海水系逆浸透膜処理手段２０’に接続され、海水系逆浸透膜処理手段２０’に海水系再濃縮水Ｗ３２を供給する。
【００６５】
制御手段１００’は、海水淡水化システム１’を構成する各要素のうち、制御が行われる要素に電気的に接続される。詳細には、制御手段１００’は、海水系透過水ＥＣ計２３０で測定された海水系透過水Ｗ２１の塩分濃度に応じて、加圧ポンプ１３、加圧ポンプ２３、加圧ポンプ３３、海水系バルブ２１０、海水系透過水排水バルブ２４０を制御する。
【００６６】
次に、海水淡水化システム１’の動作について説明する。
海水淡水化システム１’における下水系透過水Ｗ１１及び海水系透過水Ｗ２１が生成されるまでの動作は、第１実施形態の海水淡水化システム１と同様であるので説明を省略する。
【００６７】
海水系透過水ＥＣ計２３０は、海水系透過水ラインＬ２１’に流出された海水系透過水Ｗ２１の塩分濃度を測定し制御手段１００’に送信する。
制御手段１００’は、継続決定工程として以下の処理を行う。
制御手段１００’は、海水系透過水ＥＣ計２３０から送信された海水系透過水Ｗ２１の塩分濃度が供給系へ流出できる基準を満たしている場合には、海水系透過水排水バルブ２４０を開栓し、海水系バルブ２１０を閉栓する制御を行う。
これにより、海水系透過水Ｗ２１は、供給系へ流出される。
【００６８】
また、制御手段１００’は、海水系透過水ＥＣ計２３０から送信された海水系透過水Ｗ２１の塩分濃度が供給系へ流出できる基準を満たしていない場合には、第２の海水系逆浸透膜処理工程として、海水系バルブ２１０を開栓するとともに、加圧ポンプ３３を駆動させ第２海水系逆浸透膜処理手段３０を駆動する制御を行う。
これにより、海水系透過水Ｗ２１は、第２海水系逆浸透膜処理手段３０に供給される。供給された海水系透過水Ｗ２１は第２海水系逆浸透膜モジュール３２に導入され膜分離処理され、海水系再透過水Ｗ３１及び海水系再濃縮水Ｗ３２が生成される。海水系再透過水Ｗ３１は、供給系へ流出される。海水系再濃縮水Ｗ３２は、海水系濃縮水Ｗ２２と比べて塩分濃度が低いので、系外へ排水されず、海水系逆浸透膜処理手段２０’に戻される。
【００６９】
第１実施形態の変形例である海水淡水化システム１’によれば、以下の効果を奏する。
例えば、下水Ｗ１０の水量が低下し下水系逆浸透膜処理手段１０で生成された下水系透過水Ｗ１１と下水系濃縮水Ｗ１２の水量が低下し、海水系透過水Ｗ２１の塩分濃度が上昇した場合であっても、第２海水系逆浸透膜処理手段３０で当該塩分濃度が上昇した海水系透過水Ｗ２１を膜分離処理することで、塩分濃度が基準を満たす海水系透過水を供給できる。
【００７０】
次に、本発明の第２実施形態について説明する。第２実施形態については、主として、第１実施形態とは異なる点を中心に説明し、第１実施形態と同様の構成については、同じ符号を付し、詳細な説明を省略する。第２実施形態において特に説明しない点は、第１実施形態についての説明が適宜適用される。
【００７１】
＜第２実施形態＞
図３を参照して、第２実施形態の海水淡水化システム１Ａについて説明する。図３は、本発明の第２実施形態の海水淡水化システム１Ａを示す概略構成図である。
第２実施形態の海水淡水化システム１Ａは、第１実施形態の海水淡水化システム１とは、下水系逆浸透膜処理手段の下水系透過水ライン、海水系逆浸透膜処理手段の海水系透過水ライン及び制御手段の構成が異なる。また、第２実施形態の海水淡水化システム１Ａは、第１実施形態の海水淡水化システム１が備えない貯留システム４０を備える。
【００７２】
下水系逆浸透膜処理手段１０Ａの下水系透過水ラインＬ１１Ａは、下水系逆浸透膜モジュール１２の下流側に接続されている。下水系透過水ラインＬ１１Ａは、ＲＯ膜を透過した下水系透過水Ｗ１１が流通するラインである。下水系透過水ラインＬ１１Ａには、下水系塩分濃度測定ラインＬ１３及び貯留システム４０が上流側から順に接続され、貯留システム４０に下水系透過水Ｗ１１を供給する。
下水系塩分濃度測定ラインＬ１３は、下水系透過水ラインＬ１１Ａから塩分濃度測定ライン分岐点Ｊ１３において分岐し、下水系透過水Ｗ１１が流通し、第２の塩分濃度測定手段としての下水系透過水ＥＣ計１３０に接続されている。
下水系透過水ＥＣ計１３０は、第２の塩分濃度測定工程として、下水系塩分濃度測定ラインＬ１３を流通する下水系透過水Ｗ１１の導電率を測定し、塩分濃度に換算する。下水系透過水ＥＣ計１３０は、制御手段１００Ａに接続され、測定した下水系透過水Ｗ１１の導電率又は換算した塩分濃度を制御手段１００Ａに送信する。
【００７３】
海水系逆浸透膜処理手段２０Ａの海水系透過水ラインＬ２１Ａは、海水系逆浸透膜モジュール２２の下流側に接続されている。海水系透過水ラインＬ２１Ａは、ＲＯ膜を透過した海水系透過水Ｗ２１が流通するラインである。海水系透過水ラインＬ２１Ａには、海水系塩分濃度測定ラインＬ２３、貯留システム４０が上流側から順に接続され、貯留システム４０に海水系透過水Ｗ２１を供給する。
海水系塩分濃度測定ラインＬ２３は、海水系透過水ラインＬ２１Ａから塩分濃度測定ライン分岐点Ｊ１３において分岐し、海水系透過水Ｗ２１が流通し、第３の塩分濃度測定手段としての海水系透過水ＥＣ計２３０に接続されている。
海水系透過水ＥＣ計２３０は、第３の塩分濃度測定工程として、海水系塩分濃度測定ラインＬ２３を流通する海水系透過水Ｗ２１の導電率を測定し、塩分濃度に換算する。海水系透過水ＥＣ計２３０は、制御手段１００Ａに接続され、測定した海水系透過水Ｗ２１の導電率又は換算した塩分濃度を制御手段１００Ａに送信する。
【００７４】
貯留システム４０は、下水系逆浸透膜処理手段１０Ａの下水系透過水ラインＬ１１Ａ及び海水系逆浸透膜処理手段２０Ａの海水系透過水ラインＬ２１Ａに接続された貯留槽４１と、貯留槽４１に接続された貯留槽排水ラインＬ４１と、貯留槽４１の水位を計測する水位計４２と、貯留槽４１に接続された貯留槽塩分濃度測定ラインＬ４３と、貯留槽塩分濃度測定ラインＬ４３に接続された第１の塩分濃度測定手段としての貯留槽ＥＣ計４３０と、を備える。
【００７５】
貯留槽４１は、下水系逆浸透膜処理手段１０Ａから供給された下水系透過水Ｗ１１と海水系逆浸透膜処理手段２０Ａから供給された海水系透過水Ｗ２１とが混合された混合透過水Ｗ４０を貯留する。
貯留槽排水ラインＬ４１は、貯留槽４１の底部に接続され、混合透過水Ｗ４０を供給系（図示無し）へ流出するラインである。
水位計４２は、貯留槽４１に貯留された混合透過水Ｗ４０の水位を計測する。水位計４２は、制御手段１００Ａに接続され、計測した混合透過水Ｗ４０の水位を制御手段１００Ａに送信する。水位計４２は、貯留槽４１の底部に配置され水圧を検出する圧力センサを備え、水圧の変化から水位を測定する圧力式水位計であるが、これに限らず、光学式水位計や超音波式水位計を用いることができる。
【００７６】
貯留槽塩分濃度測定ラインＬ４３は、貯留槽４１の底部の近傍まで延び、混合透過水Ｗ４０が流通し、貯留槽ＥＣ計４３０に接続されている。
貯留槽ＥＣ計４３０は、第１の塩分濃度測定工程として、貯留槽塩分濃度測定ラインＬ４３を流通する混合透過水Ｗ４０の導電率を測定し、塩分濃度に換算する。貯留槽ＥＣ計４３０は、制御手段１００Ａに接続され、測定した混合透過水Ｗ４０の導電率又は換算した塩分濃度を制御手段１００Ａに送信する。
【００７７】
制御手段１００Ａは、海水淡水化システム１Ａを構成する各要素のうち、制御が行われる要素に電気的に接続される。詳細には、制御手段１００Ａは、水位計４２で計測された混合透過水Ｗ４０の水位、下水系透過水ＥＣ計１３０で測定された下水系透過水Ｗ１１の塩分濃度、海水系透過水ＥＣ計２３０で測定された海水系透過水Ｗ２１の塩分濃度又は貯留槽ＥＣ計４３０で測定された混合透過水Ｗ４０の塩分濃度に応じて、加圧ポンプ１３又は加圧ポンプ２３を制御する。
【００７８】
次に、海水淡水化システム１Ａの動作について説明する。
海水淡水化システム１Ａにおける下水系透過水Ｗ１１及び海水系透過水Ｗ２１が生成されるまでの動作は、第１実施形態の海水淡水化システム１と同様であるので説明を省略する。
下水系逆浸透膜処理手段１０Ａで生成された下水系透過水Ｗ１１及び海水系逆浸透膜処理手段２０Ａで生成された海水系透過水Ｗ２１は、混合され混合透過水Ｗ４０となって貯留システム４０の貯留槽４１に貯留される。貯留槽４１に貯留された混合透過水Ｗ４０は貯留槽排水ラインＬ４１より供給系へ流出されるが、下水系透過水Ｗ１１及び海水系透過水Ｗ２１の生成量（混合透過水Ｗ４０の生成量）が混合透過水Ｗ４０の排水量より大きい場合、貯留槽４１に混合透過水Ｗ４０が貯留される。
そして、水位計４２は、貯留槽４１に貯留された混合透過水Ｗ４０の水位を測定し制御手段１００Ａに送信する。
【００７９】
制御手段１００Ａは、決定工程として、以下の処理を行う。
制御手段１００Ａは、水位計４２から送信された混合透過水Ｗ４０の水位が所定の海水系逆浸透膜処理手段停止水位に達した場合には、加圧ポンプ２３を停止し海水系逆浸透膜処理手段２０Ａの駆動を停止する。
これにより、海水淡水化システム１Ａは、下水系逆浸透膜処理手段１０Ａのみが駆動している状態となり、貯留槽４１には下水系透過水Ｗ１１のみが供給されることとなる。
【００８０】
そして、例えば、下水系透過水Ｗ１１の生成量（混合透過水Ｗ４０の生成量）が混合透過水Ｗ４０の排水量より小さくなった場合、貯留槽４１における混合透過水Ｗ４０の水位は降下する。
制御手段１００Ａは、水位計４２から送信された混合透過水Ｗ４０の水位が所定の海水系逆浸透膜処理手段開始水位に達した場合には、加圧ポンプ２３を駆動し海水系逆浸透膜処理手段２０Ａを起動する。なお、所定の海水系逆浸透膜処理手段開始水位は、所定の海水系逆浸透膜処理手段停止水位より低い位置に設定されている。
これにより、海水淡水化システム１Ａは、再び下水系逆浸透膜処理手段１０Ａ及び海水系逆浸透膜処理手段２０Ａが駆動している状態となり、貯留槽４１には下水系透過水Ｗ１１及び海水系透過水Ｗ２１が供給されることとなる。
【００８１】
一方、例えば、下水系透過水Ｗ１１の生成量（混合透過水Ｗ４０の生成量）が混合透過水Ｗ４０の排水量より大きい場合、貯留槽４１における混合透過水Ｗ４０の水位は更に上昇する。
制御手段１００Ａは、水位計４２から送信された混合透過水Ｗ４０の水位が所定の全逆浸透膜処理手段停止水位に達した場合には、加圧ポンプ１３及び加圧ポンプ２３を停止し下水系逆浸透膜処理手段１０Ａ及び海水系逆浸透膜処理手段２０Ａの駆動を停止する。なお、全逆浸透膜処理手段停止水位は、所定の海水系逆浸透膜処理手段停止水位より高い位置に設定されている。
これにより、海水淡水化システム１Ａは、下水系逆浸透膜処理手段１０Ａ及び海水系逆浸透膜処理手段２０Ａの双方が停止した全停止状態となり、貯留槽４１がオーバーフローするのを防止できる。そして、この全停止状態において、制御手段１００Ａは、水位計４２から送信された混合透過水Ｗ４０の水位が降下し所定の海水系逆浸透膜処理手段停止水位に達した場合には、加圧ポンプ１３の駆動を再開し下水系逆浸透膜処理手段１０Ａを起動する。
【００８２】
また、制御手段１００Ａは、下水系透過水ＥＣ計１３０で測定された下水系透過水Ｗ１１の塩分濃度、海水系透過水ＥＣ計２３０で測定された海水系透過水Ｗ２１の塩分濃度又は貯留槽ＥＣ計４３０で測定された混合透過水Ｗ４０の塩分濃度のいずれかが供給系へ流出できる基準を満たしていない場合には、加圧ポンプ２３を停止させ海水系逆浸透膜処理手段２０Ａを停止する制御を行う。
これにより、海水淡水化システム１Ａは、下水系逆浸透膜処理手段１０Ａのみが駆動している状態となり、貯留槽４１には下水系透過水Ｗ１１のみが供給されることとなる。
【００８３】
第２実施形態の海水淡水化システム１Ａによれば、以下の効果を奏する。
海水系逆浸透膜処理手段２０Ａにおいて、海水Ｗ２０より塩分濃度が低い下水系濃縮水Ｗ１２と海水Ｗ２０の混合水を膜分離処理し淡水である海水系透過水Ｗ２１を生成するので、混合水より塩分濃度が高い海水Ｗ２０を膜分離処理して淡水を生成する場合に比べて、淡水を生成するためのエネルギーを低減できる。
また、生成した淡水である下水系透過水Ｗ１１と海水系透過水Ｗ２１とが混合された混合透過水Ｗ４０の貯留槽４１における水位に応じて海水系逆浸透膜処理手段２０Ａを、起動又は停止するので、例えば、下水系透過水Ｗ１１が十分に生成され、所望の水量が確保できている場合に、下水系逆浸透膜処理手段１０に比べ多くのエネルギーを必要とする海水系逆浸透膜処理手段２０Ａを停止できる。
したがって、淡水を生成するためのエネルギーを低減できるとともに、生成する淡水において所望の水量を確保できる海水淡水化システムを提供できる。
【００８４】
また、海水系逆浸透膜処理手段２０Ａは、海水系透過水Ｗ２１の塩分濃度、下水系透過水Ｗ１１の塩分濃度及び混合透過水Ｗ４０の塩分濃度に応じて、起動又は停止するので、例えば、下水系透過水Ｗ１１の塩分濃度及び混合透過水Ｗ４０の塩分濃度のいずれかが所定の基準値より高ければ、海水系逆浸透膜処理手段２０Ａを停止することで、生成した淡水である混合透過水Ｗ４０の塩分濃度を基準に戻すことができる。
したがって、淡水を生成するためのエネルギーを低減できるとともに、生成する淡水において水質を確保できる海水淡水化システムを提供できる。
【００８５】
本発明は、上述した実施の形態に限らず、本発明の要旨を逸脱しない範囲で種々変形可能である。
【符号の説明】
【００８６】
１      海水淡水化システム
１０    下水系逆浸透膜処理手段
２０    海水系逆浸透膜処理手段
１００  制御手段
２３０  海水系透過水ＥＣ計
Ｗ１０  下水
Ｗ１１  下水系透過水
Ｗ１２  下水系濃縮水
Ｗ２０  海水
Ｗ２１  海水系透過水
Ｗ２２  海水系濃縮水
【図１】
0005933926.tif 000002
【図２】
0005933926.tif 000003
【図３】
0005933926.tif 000004